(57)【特許請求の範囲】
【請求項１】
扉の所定位置にケース体を配設し、該ケース体のケース本体内に配される可動片を回転又は移動させることにより扉のハンドルをロックする一方、前記扉が配設される枠体のラッチ受け具に係入されたラッチ体の前記ケース本体内への没入移動を妨げる構造の扉錠で、ヨークの先端爪部に挟持された前記ラッチ体の直線移動が、前記ハンドルの回転操作に連動して前記ケース本体に嵌着された軸の周りに回動する前記ヨークを介してなされるために前記ハンドルの僅かな回転操作で以って増幅される構造のものにおいて、
前記ラッチ体は、前記扉の開成時には前記ケース体と前記ヨークの、前記軸が挿通される貫通孔部位から前記先端爪部位に至るところの適宜な位置との間に介装された弾性体の付勢力を当該ヨークを介して受けることにより前記ケース本体内に没入停留して前記可動片の回転又は移動を阻止する一方、前記扉の閉成時には前記ラッチ受け具に配設されたマグネット体の、前記弾性体の付勢力に抗する磁力により吸引されて前記ラッチ受け具に係入されることを特徴とする扉錠。
【請求項２】
前記マグネット体は、前記ラッチ体を適宜な磁力で吸引するべく当該ラッチ体に対する位置調整がなされることを特徴とする請求項１に記載の扉錠。
【発明の詳細な説明】
【技術分野】
【０００１】
本発明は、扉をその内側からロックするときに使用する扉錠に関するものである。
【背景技術】
【０００２】
例えば部屋などの扉の内側には、所謂サムターンが取り付けられており、かかるサムターンを回動操作して当該扉をロックする扉錠は、従来から種々あるが、この中でも、扉の誤施錠を防止したもの、即ち、扉が開いているときに扉錠を操作したまま部屋から出てうっかり扉を閉めてしまったために扉が施錠されてしまうことを防止したものがある。
例えば、特許文献１に開示の扉錠は、扉が施錠されていないとき（サムターンが回動操作されていないとき）、換言すれば、扉に取り付けられたケース体のケース本体１００内の、サムターンに連動する錠カム１０１が回動されていないときは、図７（Ａ）に示すように、上下方向に移動するロック体１０２は、図示しない長孔（ケース本体１００などに設けられている）の最下位置のところで静止している。そして、レバーハンドル（図示せず）が操作されていないときには、同図（Ａ）に示すように、レバーハンドルに連動するカム体１０３は、当該カム体１０３の突条１０３ｂが摺動プレート１０４を介してメインスプリング１０５の付勢力を受けてブロック１０６に当接し、ラッチ体１０７は、スプリング１０８の付勢力を受けてケース本体１００から突出している。このとき、ラッチ体１０７に対し当該ラッチ体１０７をケース本体１００内に没入移動させようとする外力を加えると、当該ラッチ体１０７はケース本体１００内に没入移動する。
しかるに、ラッチ体１０７がケース本体１００から突出しているときに、レバーハンドルが、例えば同図（Ｂ）に示すように時計回り方向に回転操作されると、カム体１０３は、その突条１０３ｂがメインスプリング１０５の付勢力に抗して摺動プレート１０４を同図中の矢印方向に移動させる。すると、ヨーク１０９は、上記プレート１０４の爪部１０４ａ１，１０４ａ２から押圧力を受け、軸棒１１０の回りに回転し、その一対のアーム１０９ｂ１，１０９ｂ２によりラッチ体１０７をラッチ体スプリング１０８の付勢力に抗してケース本体１００内に没入移動させる。尚、レバーハンドルの回転操作を解放すると、同図（Ｂ）の状態が同図（Ａ）の状態に移行することはもちろんである。
【０００３】
これに対し、扉を閉成して当該扉を施錠するとき（サムターンを回動操作するとき）には、通常、施錠する前は、例えば上述の図７（Ａ）のような状態になっていてラッチ体１０７の頭部１０７ａは、扉が配設される枠体のラッチ受け具の凹部（図示せず）に係入されている。このようなときに、例えば図８（Ａ）のように、錠カム１０１が反時計回り方向に回転されると（即ち、サムターンが反時計回り方向に回転操作されると）、ほぼ９０゜回転されたところでロック体１０２は上記長孔の最上位置に達する。このとき、レバーハンドルは、反時計回り方向に回転されても、カム体１０３の突条１０３ｂがブロック１０６に当接していて回転せず、また、時計回り方向に回転操作されても、カム体１０３の円筒部１０３ｄがロック体１０２の突条１０２ｂ２１に当接していて回転しない。また、ラッチ体１０７は、当該ラッチ体１０７をケース本体１００内に没入移動させようとする外力が加えられても、その脚部の端部１０７ｂ２がロック体１０２の左側壁１０２ａ１に当接しており、ケース本体１００内に没入移動せずにケース本体１００から突出したままになり、これにより扉がロックされる。尚、この扉錠においては、同図（Ｂ）のように、錠カム１０１が時計回り方向に回転されても図８（Ａ）の場合と同様な作用効果が得られる。
【０００４】
しかしながら、上記扉錠においては、扉を閉成するときのみならず、扉が開成されているときにも、サムターンを回動操作することができる構造となっており、サムターンが回動操作されるとラッチ体１０７がケース本体１００から突出する状態になるため、扉の誤施錠を防止する機能を有するが、扉が開成されているときにサムターンが誤って回動操作されていると、これを知らないで（ラッチ体１０７はケース本体１００から突出する状態となっており、サムターンが回動操作されているか否か判らない。）扉を閉成させようとしても、ラッチ体１０７が、上述の図８（Ａ）や８（Ｂ）の状態になっているのでケース本体１００内に没入移動せず、そのため扉を閉成させることができない。したがって、サムターンを回動操作してラッチ体１０７をケース本体１００内に没入移動可能な状態にしてから扉を閉成させなければならず利便性の点で問題があった。
【特許文献１】特開２００２−３７１７３４（第３〜６頁、図１〜４）
【発明の開示】
【発明が解決しようとする課題】
【０００５】
解決しようとする問題点は、扉の誤施錠を防止することはもちろん、扉が開成されているときには、扉をロックするためのサムターンの操作が行えない、即ち、扉ロックの誤操作が防止できるようにする点である。
【課題を解決するための手段】
【０００６】
本発明の請求項１に係る扉錠は、扉の所定位置にケース体を配設し、該ケース体のケース本体内に配される可動片を回転又は移動させることにより扉のハンドルをロックする一方、前記扉が配設される枠体のラッチ受け具に係入されたラッチ体の前記ケース本体内への没入移動を妨げる構造の扉錠で、ヨークの先端爪部に挟持された前記ラッチ体の直線移動が、前記ハンドルの回転操作に連動して前記ケース本体に嵌着された軸の周りに回動する前記ヨークを介してなされるために前記ハンドルの僅かな回転操作で以って増幅される構造のものにおいて、前記ラッチ体は、前記扉の開成時には前記ケース体と前記ヨークの、前記軸が挿通される貫通孔部位から前記先端爪部位に至るところの適宜な位置との間に介装された弾性体の付勢力を当該ヨークを介して受けることにより前記ケース本体内に没入停留して前記可動片の回転又は移動を阻止する一方、前記扉の閉成時には前記ラッチ受け具に配設されたマグネット体の、前記弾性体の付勢力に抗する磁力により吸引されて前記ラッチ受け具に係入されるようにしたものであり、これにより、簡易な構造で、扉の誤施錠を防止することはもちろん、扉が開成されているときには、扉をロックするためのサムターンの操作が行えない、即ち、扉ロックの誤操作が防止できる。
【０００８】
本発明の請求項２に係る扉錠において、前記マグネット体は、前記ラッチ体を適宜な磁力で吸引するべく当該ラッチ体に対する位置調整がなされるようにしたもので、扉の開閉時のスムーズ性を確保するためにラッチ体に対する位置が調整可能なようにされている。
【発明の効果】
【０００９】
本発明に係る扉錠は、扉の開成時にはラッチ体がケース本体内に没入停留したままの状態にしてサムターンを回転させることができないようにすることにより、扉が開成されているときには、扉をロックするためのサムターンの操作が行えない、即ち、扉ロックの誤操作が防止できるものとした点で優れている。
【発明を実施するための最良の形態】
【００１０】
本発明の実施の形態に係る扉錠を図１〜６を参照して説明する。
本扉錠１は、扉２ａの所定凹部（例えば、図４，５を参照）に取り付けられたケース体３内に組み込まれる部材と、扉２ａが配設される枠体２ｂの所定凹部（例えば、図３（Ａ）を参照）に取り付けられたラッチ受け具１６内に組み込まれる部材とから構成され、扉の誤施錠を防止することはもちろん、扉ロックの誤操作が防止できるようにされてなるものである。
【００１１】
本扉錠１の、ケース体３内に組み込まれる部材及びラッチ受け具１６内に組み込まれる部材を図１〜３を参照して説明する。
まず、扉２ａに取り付けられるケース体３は、図１に示すように、ケース本体３０とケースカバー３１とで構成される平たい直方体箱ケース内に、本扉錠１の下記部材を組み込んだものである。ところで、ケース本体３０の側面のうち、扉２ａの凹部前面への取付板３０ａは、取付ボルト孔を有したフランジ部３０ａ１及び３０ａ２が両端から張り出していて他の側面より大き目に形成され、当該取付板３０ａに重ね合わせる態様でフロントプレート３２が取り付けられる。そして、フランジ部３０ａ１寄りの取付板３０ａに設けられた略円形状貫通孔３０ａ３及びこの取付板３０ａに重合されたフロントプレート３２の略楕円形状貫通孔３２ａに、後述のラッチ体９をガイドするためのラッチカバー３３が嵌着される。
【００１２】
ケース体３に組み込まれる部材のうちカム体４は、扉２ａのレバーハンドルの角芯棒（例えば、図４，５を参照）が嵌挿される角孔４ａ１を有する円筒部４ａと、この円筒部４ａの外周面から図１中では下方に突出する突条４ｂと、この突条４ｂとは反対の上方に突出する先細のアーム４ｃと、このアーム４ｃの先端に上記円筒部４ａに平行に当該円筒部４ａの外径より小さく、且つ、その軸長よりやや短い円筒部４ｄとで構成される。そして、カム体４は、ケース本体３０の右下方隅に固定された位置決めブロック５から斜め上方に位置する当該ケース本体３０の貫通孔３０ｂ（ケースカバー３１の貫通孔３１ｂ）に回動自在に嵌挿され、上述のようにこの角孔４ａ１に角芯棒が嵌挿されることによってレバーハンドル（図示せず）の回転に連動するようになっており、かかる適宜な方向への回転により、突条４ｂの一方の側面４ｂ１がブロック５の側面５ａに当接する。
【００１３】
上記ブロック５に対向する態様で、長細い板状部６ａと折曲部６ｂとで略Ｌ字形状をなし、下記メインスプリング７が当接し保持器を兼ねる摺動プレート６には、その板状部６ａの略中央に立設された一対の爪部６ａ１，６ａ２のそれぞれの両側に凸状６ｃ１，６ｃ２が突設され、このうち凸状６ｃ１がケース本体３０の案内長孔３０ｇに（図１では、凸状６ｃ１の片方のみが、また、案内長孔３０ｇの片方のみが描かれている）、また、凸状６ｃ２がケースカバー３１の案内長孔３１ｇにガイドされる態様で、取付板３０ａに対し接近及び離反方向に移動可能に配設される。
また、摺動プレート６は、その一端のスプリング座を取付板３０ａとし、他端のスプリング座を当該摺動プレート６の折曲部６ｂとする上記メインスプリング７により上記離反方向に付勢されており、これにより、カム体４の突条４ｂは、その他方の側面４ｂ２が折曲部６ｂを介してメインスプリング７から押圧されるために、その一方の側面４ｂ１がブロック５の側面５ａに常に当接状態にされている。
【００１４】
上記摺動プレート６の板状部６ａの略中央に立設された上記一対の爪部６ａ１，６ａ２は、断面視略コ字状の長細い把持体８ａ及びこの把持体８ａの一方側端のそれぞれに突設された一対のアーム８ｂ１，８ｂ２からなるヨーク８で、その上記把持体８ａの中に嵌挿される。一方、このヨーク８は、把持体８ａで、その中央から下方寄りに位置するところに貫通孔８ｃが穿設されており、この貫通孔８ｃにケース３０の小孔３０ｃ（ケースカバー３１の小孔３１ｃ）に嵌着された軸２０が挿通される。これにより、ヨーク８は、軸２０の回りに回動可能になるとともに、摺動プレート６の移動、即ち、カム体４のカム運動をアーム８ｂ１，８ｂ２の各先端爪部の移動に増幅して変換させることができる。
【００１５】
しかるに、このアーム８ｂ１，８ｂ２の各先端爪部は、下記ラッチ体９の溝部９ｃに緩嵌されて当該ラッチ体９を挟持しており、したがって、これらアーム８ｂ１，８ｂ２の各先端爪部の移動によって、ラッチ体９が移動する。
ところで、このラッチ体９は、上記ラッチカバー３３にガイドされる略楕円形状の頭部９ａと、これに連接する頭部９ａより径小で、且つ、当該頭部９ａと略同長の円筒部に溝部９ｃが形成された脚部９ｂとからなっており、この溝部９ｃに上記アーム８ｂ１，８ｂ２の各先端爪部が緩嵌される。そして、ラッチ体９の頭部９ａの先端面に、本実施の形態では、磁性体で構成される薄厚の略楕円形状磁性部材１０がボルト１１で取り付けられている。但し、場合によっては、ラッチ体９自体が磁性体で構成されていてもよい。
また、図１中のケース３０の略左上方隅には、略Ｌ字状板からなる支持部１２ａ及び折曲部１２ｂで、このうちの折曲部１２ｂに貫通孔１２ｂ１を有するＬ字状プレート１２が、上記貫通孔１２ｂ１にラッチ体９の脚部９ｂのうち頭部９ａに連接する方の脚部９ｂ１を挿通する状態にして固定される。
【００１６】
そして、ケース本体３０の取付板３０ａの内面の適宜な位置に設けられた一方のスプリング座としての当接部（図示せず）と、ヨーク８の把持体８ａの、軸２０が挿通されるところより上方の適宜な位置に設けられた他方のスプリング座としての当接部（図示せず）との間にラッチ体スプリング（弾性体）１３が介装され（図４，５参照）、このスプリング１３によってラッチ体９がケース本体３０内に没入移動している状態で停留される。これにより、ラッチ体９は、扉２ａの開成時には、後述の錠カム１４に連動する後述のロック体１５の移動を妨げる結果、当該錠カム１４を回転操作できないように作用する。
ところで、ラッチ体９がケース本体３０内から突出する際には、カム体４のカム運動が、摺動プレート６及びヨーク８の連結機構を介して当該ラッチ体９のケース本体３０内からの突出する運動に増幅して変換され、しかも、カム体４の僅かなカム運動、換言すればレバーハンドルの僅かな回転でも当該ラッチ体９の移動量が増幅して伝達される。
【００１７】
また、このように動作するラッチ体９に対しては、扉２ａの閉成時に、サムターン（図示せず）に連動する上記錠カム（可動片）１４と、この錠カム１４の、本実施の形態では回転によりカム体４のカム運動を妨げる第１ロック部及びラッチ体９のケース体３０内への没入移動を妨げる第２ロック部を合体した上記ロック体１５とが配設されている。
このうち錠カム１４は、サムターンの矩形状棒が挿通される矩形孔１４ａ１を有する円筒部１４ａと、この円筒部１４ａの一方の側面の外周面から延出するアーム１４ｂと、このアーム１４ｂの先端に上記円筒部１４ａに平行に、且つ、当該円筒部１４ａの略半分の長さの円筒部１４ｃとで構成され、円筒部１４ａは、その他方の側面がケース本体３０の貫通孔３０ｄ（その一方端がケースカバー３１の貫通孔３１ｄ）に回動自在に緩挿される。
【００１８】
一方、ロック体１５は、リブ１５ｃを隔てて図１中では上下に区画された片面開放の下記空間部をそれぞれ有する錠カム受け部１５ａ及びカム体受け部１５ｂで構成される。
このうち、カム体受け部１５ｂは、上記リブ１５ｃと、左側壁１５ｂ１及び切欠きのある右側壁１５ｂ２とで囲まれる上記空間部がその下方において外部に開口し、当該右側壁１５ｂ２からは当該空間部内に向かって上記開口部を制限する突条（第１ロック部）１５ｂ２１が突出する一方、左側壁１５ｂ１の両端面に突条１５ｂ１１がそれぞれ突出している。そして、これら突条１５ｂ１１がケース体３０の長孔３０ｅ（ケースカバー３１の長孔３１ｅ）に緩挿され、長孔３０ｅに沿って移動できるようになっており、これにより、カム体受け部１５ｂ、即ち、ロック体１５は、重力方向及び反重力方向（同図中、矢印Ａ方向が重力方向、矢印Ｂが反重力方向であり、以下同様である。）に移動可能になる。そして、ロック体１５が重力方向に移動したときには、カム体４の円筒部４ｄが上記開口部から上記空間部内に挿入されるため、当該空間部内を右側壁１５ｂ２に向かって回動可能になる。また、後述のように、ラッチ体９がケース本体３０内に没入移動している状態で停留できる（図４（Ａ）参照）。一方、ロック体１５が反重力方向に移動したときには、上記円筒部４ｄが上記開口部に位置するために、右側壁１５ｂ２に向かって回動しようとすると突条１５ｂ２１に当接して回動できず、同時に、後述のように、ケース本体３０から突出した状態にあるラッチ体９は、ケース本体３０内に没入移動できない（図５参照）。
【００１９】
錠カム受け部１５ａは、リブ１５ｃと、当該リブ１５ｃの両端から突出して互いに向き合う方向に折曲して形成された左側壁１５ａ１及び右側壁１５ａ２とで囲まれる上記空間部の中央が、もう一方の片面側において略Ｕ字状に切欠かれている。そして、この切欠き部に錠カム１４の円筒部１４ｃが停留しているときには、錠カム受け部１５ａ、即ち、ロック体１５はその移動溝である上記長孔３０ｅの最下点のところで静止している。しかるに、錠カム１４の円筒部１４ａを、本実施の形態では、時計方向又は反時計方向のいずれかに回転すると、その円筒部１４ｃが、リブ１５ｃと左側壁１５ａ１で囲まれる空間部、又はリブ１５ｃと右側壁１５ａ２で囲まれる空間部に回動するために、これに従って錠カム受け部１５ａ、即ち、ロック体１５が反重力方向に移動し、ほぼ９０゜回転したところで上記長孔３０ｅの最上点に達する。このとき、ラッチ体９は、その脚部９ｂの最後端面がロック体１５の左側壁（第２ロック部）１５ａ１に当接して移動できない、即ち、ケース本体３０から突出した状態にあるラッチ体９は、ケース本体３０内に没入移動できない（図５参照）。
【００２０】
次に、枠体２ｂに取り付けられるラッチ受け具１６は、図２，３に示すようにケース本体１７と、ケースプレート１８と、ケース本体１７に配設されるマグネット体１９とで構成され、このうちのケース本体１７は、略矩形状をなす縦長の薄板状部材１７ａと、この薄板状部材１７ａの前面１７ａ１側中央で縦長の矩形状に開口し、且つ、この裏面１７ａ２からは所定寸法で突出してなる有底で中空の直方体部材１７ｂとで構成されている。そして、この開口１７ａ３の、両方の横方向の縁に沿って当該横方向の縁と略等しい長さの矩形状の突条１７ａ４がケースプレート１８の厚みとほぼ等しい寸法で突設され、更に、この突条１７ａ４の中央位置において当該突条１７ａ４に重ねられて断面略直角三角形状の短尺な突条１７ａ５が、その傾斜面が外方を向いて突設されている（図３（Ｂ）参照）。また、この薄板状部材１７ａの、上記横方向の縁を隔てて上記開口１７ａ３とは反対側には、当該横方向の縁より長尺で幅狭な矩形状スリット１７ａ６がそれぞれ形成され、このスリット１７ａ６の開口の大きい方がこの薄板状部材１７ａの前面１７ａ１側に、また、開口の小さい方が裏面１７ａ２に位置して形成されている（図３（Ｂ）参照）。また、薄板状部材１７ａの、その縦方向の最上部及び最下部に、当該縦方向に垂直な長軸を有する長円形状の挿通孔１７ａ７がそれぞれ設けられている。更に、上記開口１７ａ３の一方の縦辺中央には、扁平な小突片１７ａ８が突設されている。
一方、図３（Ａ）に示すように、直方体部材１７ｂの中空部の略中央位置から底面側寄りには、上記磁性部材１０に対するマグネット体１９が配設される箇所１７ｂ１が設けられ、しかも、この直方体部材１７ｂの底面側で当該マグネット体１９が配設される位置より下方に、本実施の形態ではマグネット体１９より小型のマグネット体（同図では、このマグネット体は描かれていない。）が配設可能な箇所１７ｂ２が設けられている。
【００２１】
ケースプレート１８は、ケース本体１７の薄板状部材１７ａよりやや大きい略矩形状をなす縦長の薄板状部材で形成され、この薄板状部材の中央部に上記ケース本体１７の直方体部材１７ｂの中空に連通する略矩形状の開口１８ａ３が設けられ、当該開口１８ａ３の両方の横方向の縁に沿って当該横方向の縁と略等しい長さで、且つ、この薄板状部材の裏面１８ａ２側にフック状に湾曲して張出した突条１８ａ４がそれぞれ突設され（図３（Ｂ）参照）、これら突条１８ａ４に上記ケース本体１７の突条１７ａ５を係合させることによりケース本体１７がケースプレート１８に装着され、当該ケースプレート１８に対し図２中の矢印方向に摺動可能になる。また、この薄板状部材には、当該薄板状部材の開口１８ａ３を隔てたところに上記薄板状部材１７ａの挿通孔１７ａ７に連通する貫通孔を伴う所謂深絞り加工が施され、この貫通孔の、当該薄板状部材の裏面１８ａ２の孔周縁に沿ってリング状の突条１８ａ５が上記薄板状部材１７ａの厚みと略等しい寸法でそれぞれ突設され、これら突条１８ａ５は、ケース本体１７がケースプレート１８に対し摺動するときに上記挿通孔１７ａ７にガイドされて相対移動する。尚、開口１８ａ３の一方の縦辺中央には、上記小突片１７ａ８をガイドするための切欠き溝１８ａ６が設けられている。
【００２２】
次に、本扉錠１の動作について図４，５を参照して説明する。但し、これら図４，５には、ラッチ受け具１６側は描かれていない。
まず、本扉錠１において、サムターンが使用されていない状況下での本扉錠１の動作を図４を参照して説明する。
この状況下（錠カム１４が回動されておらず、したがって、ロック体１５が上記長孔３０ｅの最下点のところで静止している）では、扉２ａが開成されているときには（図４（Ａ））、ラッチ体９は、ヨーク８に作用するスプリング１３の付勢力によってケース本体３０内に没入移動し、当該ラッチ体９の頭部９ａと脚部９ｂとの段差部においてＬ字状プレート１２に当接して停留される。一方、ラッチ体９の脚部９ｂの下面は、錠カム１４に連動するロック体１５の左側壁１５ａ１に当接して当該ロック体１５が移動することを妨げるように作用し、そのため当該錠カム１４を回転操作することができないようになるので、結果としてサムターンは使用できない。即ち、扉２ａが開成されているときには、扉２ａをロックするためのサムターンの操作が行えない、即ち、扉ロックの誤操作が防止される。また、誤施錠も生じないことはもちろんである。
尚、図４（Ａ）の状態にあっては、レバーハンドルを回転操作して当該レバーハンドルに連動するカム体４を同図中時計回り方向に回転させても、メインスプリング７の付勢力に抗して摺動プレート６を押動させるだけで、この押動力がヨーク８に伝達されないので、ラッチ体９に作用を及ぼすことはない。また、レバーハンドルの、同図中反時計回り方向への回転は、カム体４がブロック５に当接しているために回転させることができないことはもちろんである。
【００２３】
しかるに、扉２ａを閉成したときには（図４（Ｂ））に示す状態となる。即ち、ラッチ体９は、ヨーク８に作用するスプリング１３の付勢力に抗して、ラッチ受け具１６のマグネット体１９（同図では描かれていない。）の磁力により吸引される結果、ケース本体３０内から突出して当該マグネット体１９に吸着される状態となって、扉２ａが閉成される。このとき、サムターンは使用できる状態になっている。そして、閉成状態から開成状態にする場合には、レバーハンドルを回転操作すると、このレバーハンドルに連動するカム体４は、その突条４ｂがメインスプリング７の付勢力に抗して摺動プレート６を同図中の矢印方向に移動させるので、ヨーク８は、上記プレート６の爪部６ａ１，６ａ２から押圧力を受け、軸２０の回りに回転し、その一対のアーム８ｂ１，８ｂ２によりラッチ体９をマグネット体１９の吸着力に抗してケース本体３０内に没入移動させる。そして、レバーハンドルの回転操作を解放すると、同図（Ｂ）の状態が同図（Ａ）の状態、即ち、扉２ａが開成されている状態に戻る。
【００２４】
そして、本扉錠１においては、扉２ａが閉成されているときサムターンを使用可能になる。このときの動作を図５を参照して説明する。本扉錠１では、サムターン、即ちサムターンに連動する錠カム４を時計回り方向又は反時計回り方向のいずれに回転させても扉２ａの施錠が可能になり、同図では、錠カム４を時計回り方向に回転して動作させたときの状態図が示されている。
サムターンが操作される直前は、例えば上述の図４（Ｂ）のような状態になっていてラッチ体９は、ラッチ受け具１６のマグネット体１９（図示せず）に吸着され、ケース本体３０内から突出している。このようなときに、サムターンが回転操作されると、サムターンに連動する錠カム４の回転に伴なってロック体１５が反重力方向に移動し、錠カム４が時計方向にほぼ９０゜回転したところで、ロック体１５は上記長孔３０ｅの最上点に達し、この点でラッチ体９は、当該ラッチ体９の脚部９ｂの後端面がロック体１５の左側壁１５ａ１に当接する状態になり、ケース本体３０内から突出した状態のままになる。一方、レバーハンドルは、当該レバーハンドルを回転操作させようとしても、カム体４の円筒部４ｄがロック体１５の突条１５ｂ２１に当接しており、また、カム体４の突条４ｂがブロック５に当接しているために回転操作ができない。この場合も、誤施錠が生じないことはもちろんである。
【００２５】
次に、ラッチ体９に対するマグネット体１９の位置調整について図６を参照して説明する。
かかる調整を説明する前に、マグネット体１９が配設されるラッチ受け具１６の枠体２ｂへの取り付け方を簡単に説明すると、マグネット体１９が配設されたケース本体１７を、当該ケース本体１７の突条１７ａ５をケースプレート１８の突条１８ａ４に係合させ押し込むことによってケースプレート１８に装着する。実際には、ケース本体１７のスリット１７ａ６内にケースプレート１８の突条１８ａ４を挿入する過程においてケース本体１７の突条１７ａ５を乗り越えるように押し込んで図３（Ｂ）の状態にする。このようにしてケースプレート１８にケース本体１７が装着されたラッチ受け具１６を、枠体２ｂの所定凹部にケースプレート１８の前面１８ａ１が外方を向くようにして取り付ける。このとき、ケース本体１７とこの所定凹部との間には、ケース本体１７の摺動方向において所要の隙間が形成されていることはもちろんである。
このようにして取り付けられたラッチ受け具１６内のマグネット体１９がケース体３内のラッチ体９を適宜な磁力で吸引できるように当該ラッチ体９に対する位置調整がなされる。即ち、ラッチ体９をマグネット体１９に、例えば真正面で対向させるためには、ケースプレート１８の切欠き溝１８ａ６から、例えばドライバでケース本体１７の小突片１７ａ８を押動させて当該ケース本体１７を適量だけ移動操作すればよい。図６（Ａ），（Ｂ）は、ケース本体１７をケースプレート１８に対し同図中の矢印方向にそれぞれ移動操作させて、ラッチ体９に対するマグネット体１９の位置調整がなされるところを示している。これにより、扉の厚み方向への調整が可能となり、マグネット体１９と磁性部材１０との吸引を確実にすることができる。そして、かかる位置調整後は、ケースプレート１８の、突条１８ａ５を有するところの貫通孔にビスなどをネジ込んで固定する。この場合、マグネット体１９の、ラッチ体９を吸引する磁力が若干弱いときには、ケース本体１７の部位１７ｂ３に小型のマグネット体を配置することも可能である。
【産業上の利用可能性】
【００２６】
本発明の扉錠は、扉の誤施錠を防止することはもちろん、扉ロックの誤操作の防止、とりわけ、扉が開成されているときには、扉をロックするためのサムターンの操作が行えないようにした点で、各種の扉に使用する装置として広く一般的に利用されるものと言える。
【図面の簡単な説明】
【００２７】
【図１】本発明の実施の形態に係る扉錠の、ケース体側の分解斜視図である。
【図２】本発明の実施の形態に係る扉錠の、ラッチ受け具側の分解斜視図である。
【図３】図２のラッチ受け具の断面図である。
【図４】本扉錠の、サムターンの未使用時での動作説明図である。
【図５】本扉錠の、サムターンの使用時での動作説明図である。
【図６】本扉錠における位置調整の説明図である。
【図７】従来の扉錠の、サムターンの未使用時での動作説明図である。
【図８】従来の扉錠の、サムターンの使用時での動作説明図である。
【符号の説明】
【００２８】
１                    扉錠
２ａ                  扉
２ｂ                  枠体
３                    ケース体
９                    ラッチ体
１３                  ラッチ体スプリング（弾性体）
１４                  錠カム（可動片）
１６                  ラッチ受け具
１９                  マグネット体
３０                  ケース本体
【図１】
0005552325.tif 000002
【図２】
0005552325.tif 000003
【図３】
0005552325.tif 000004
【図４】
0005552325.tif 000005
【図５】
0005552325.tif 000006
【図６】
0005552325.tif 000007
【図７】
0005552325.tif 000008
【図８】
0005552325.tif 000009